(57)【要約】識別子と、画面に出力可能な複数の閲覧情報とを対応付けて記憶可能であって、少なくとも１つの識別子に複数の閲覧情報を対応付けて記憶する記憶部（１０）と、画面に複数の閲覧情報を同時に出力できるように構成され、画面に閲覧情報を出力する閲覧情報出力部（２０）と、画面に出力されている閲覧情報を識別する出力閲覧情報識別部（３０）と、記憶部（１０）を参照し、出力閲覧情報識別部（３０）が識別した閲覧情報に基づいて、画面に出力すべき識別子を決定する識別子決定部（４０）と、画面に、識別子決定部（４０）が決定した識別子を出力する識別子出力部（５０）と、を有する表示処理装置。
2012032705.tif 000002
【特許請求の範囲】
【請求項１】
識別子と、画面に出力可能な複数の閲覧情報とを対応付けて記憶可能であって、少なくとも１つの前記識別子に複数の前記閲覧情報を対応付けて記憶する記憶手段と、
前記画面に複数の前記閲覧情報を同時に出力できるように構成され、前記画面に前記閲覧情報を出力する閲覧情報出力手段と、
前記画面に出力されている前記閲覧情報を識別する出力閲覧情報識別手段と、
前記記憶手段を参照し、前記出力閲覧情報識別手段が識別した前記閲覧情報に基づいて、前記画面に出力すべき前記識別子を決定する識別子決定手段と、
前記画面に、前記識別子決定手段が決定した前記識別子を出力する識別子出力手段と、
を有する表示処理装置。
【請求項２】
請求項１に記載の表示処理装置において、
前記識別子決定手段は、
前記画面に出力すべき前記識別子として、前記出力閲覧情報識別手段が識別した少なくとも１つの前記閲覧情報の中に、対応付けられている前記閲覧情報がすべて含まれている前記識別子である第１の前記識別子を決定する表示処理装置。
【請求項３】
請求項２に記載の表示処理装置において、
前記識別子出力手段が出力する前記第１の識別子の中の１つを特定する入力を受付ける第１識別子特定受付手段と、
前記記憶手段を参照し、前記第１識別子特定受付手段が受付けた前記第１の識別子に対応付けられている前記閲覧情報を特定する第１閲覧情報特定手段と、をさらに有し、
前記閲覧情報出力手段は、前記第１閲覧情報特定手段が特定した前記閲覧情報と、出力中の他の前記閲覧情報とをユーザが区別できるように、前記閲覧情報を出力する表示処理装置。
【請求項４】
請求項１から３のいずれか１項に記載の表示処理装置において、
前記識別子決定手段は、
前記画面に出力すべき前記識別子として、前記出力閲覧情報識別手段が識別した少なくとも１つの前記閲覧情報の中に、対応付けられている前記閲覧情報の少なくとも１つが含まれ、かつ、対応付けられている前記閲覧情報のすべては含まれていない前記識別子である第２の前記識別子を決定する表示処理装置。
【請求項５】
請求項４に記載の表示処理装置において、
前記識別子出力手段が出力する前記第２の識別子の中の１つを特定する入力を受付ける第２識別子特定受付手段と、
前記記憶手段を参照し、前記第２識別子特定受付手段が受付けた前記第２の識別子に対応付けられている前記閲覧情報を特定する第２閲覧情報特定手段と、をさらに有し、
前記閲覧情報出力手段は、前記第２閲覧情報特定手段が特定した前記閲覧情報の中の前記画面に出力されていない前記閲覧情報を、前記画面に追加出力する表示処理装置。
【請求項６】
請求項１から５のいずれか１項に記載の表示処理装置において、
前記閲覧情報出力手段が出力する前記閲覧情報の中の少なくとも１つの前記閲覧情報に含まれるデータを利用して、所定の解析を行う解析手段と、
前記画面に、前記解析手段による解析結果を出力する解析結果出力手段と、
をさらに有する表示処理装置。
【請求項７】
請求項６に記載の表示処理装置において、
前記記憶手段は、さらに、前記解析結果出力手段が出力する前記解析結果と、前記解析結果を得るために利用された前記少なくとも１つの閲覧情報とを対応付けて記憶し、
前記解析結果出力手段が出力する前記解析結果の１つを特定する入力を受付ける解析結果特定受付手段と、
前記記憶手段を参照し、前記解析結果特定受付手段が受付けた前記解析結果に対応付けられている前記閲覧情報を特定する第３閲覧情報特定手段と、をさらに有し、
前記閲覧情報出力手段は、前記第３閲覧情報特定手段が特定した前記閲覧情報と、出力中の他の前記閲覧情報とをユーザが区別できるように、前記閲覧情報を出力する表示処理装置。
【請求項８】
請求項１から７のいずれか１項に記載の表示処理装置において、
前記閲覧情報出力手段は、前記画面に複数のウインドウを同時に出力できるように構成され、前記複数のウインドウの１つに、前記複数の閲覧情報の１つを出力する表示処理装置。
【請求項９】
請求項１から８のいずれか１項に記載の表示処理装置において、
前記閲覧情報出力手段は、前記画面の第１の領域に前記閲覧情報を出力し、
前記識別子出力手段は、前記第１の領域に前記閲覧情報が出力されている状態で、前記画面の第１の領域とは異なる第２の領域に、前記識別子決定手段が決定した前記識別子を出力する表示処理装置。
【請求項１０】
請求項９に記載の表示処理装置において、
前記閲覧情報出力手段は、ユーザ操作に応じて、前記画面に出力する前記閲覧情報を変更し、
前記出力閲覧情報識別手段は、前記画面に出力される前記閲覧情報が変更されると、前記画面に出力されている前記閲覧情報を識別し直し、
前記識別子決定手段は、前記出力閲覧情報識別手段が前記閲覧情報を識別し直すと、前記記憶手段を参照し、前記出力閲覧情報識別手段が識別し直した前記閲覧情報に基づいて、前記画面に出力すべき前記識別子を決定し直し、
前記識別子出力手段は、前記識別子決定手段が前記識別子を決定し直すと、前記画面に出力する前記識別子を、前記識別子決定手段が決定し直した前記識別子に変更する表示処理装置。
【請求項１１】
請求項１から８のいずれか１項に記載の表示処理装置において、
前記閲覧情報出力手段が前記画面に前記閲覧情報を出力している状態で、前記識別子を出力する指示入力を受付ける識別子出力受付手段をさらに有し、
前記識別子出力手段は、前記識別子出力受付手段が前記指示入力を受付けると、当該入力の受付けをトリガに、前記画面に前記閲覧情報を出力している状態で、前記識別子決定手段が決定した前記識別子を前記画面に出力する表示処理装置。
【請求項１２】
請求項１から１１のいずれか１項に記載の表示処理装置において、
前記画面に出力可能な前記閲覧情報の中の少なくとも１つを特定する入力を受付ける閲覧情報特定受付手段と、
前記閲覧情報特定受付手段が受付けた少なくとも１つの前記閲覧情報に前記識別子を対応付けて前記記憶手段に記憶する指示入力を受付けると、前記閲覧情報特定受付手段が受付けた少なくとも１つの前記閲覧情報に前記識別子を対応付けて前記記憶手段に記憶する登録手段と、
をさらに有する表示処理装置。
【請求項１３】
コンピュータを、
識別子と、画面に出力可能な複数の閲覧情報とを対応付けて記憶可能であって、少なくとも１つの前記識別子に複数の前記閲覧情報を対応付けて記憶する記憶手段、
前記画面に複数の前記閲覧情報を同時に出力できるように構成され、前記画面に前記閲覧情報を出力する閲覧情報出力手段、
前記画面に出力されている前記閲覧情報を識別する出力閲覧情報識別手段、
前記記憶手段を参照し、前記出力閲覧情報識別手段が識別した前記閲覧情報に基づいて、前記画面に出力すべき前記識別子を決定する識別子決定手段、
前記画面に、前記識別子決定手段が決定した前記識別子を出力する識別子出力手段、
として機能させるためのプログラム。
【請求項１４】
画面に、複数の閲覧情報の中の少なくとも１つを出力する閲覧情報出力ステップと、
画面に出力されている前記閲覧情報を識別する出力閲覧情報識別ステップと、
識別子と、画面に出力可能な複数の閲覧情報とを対応付けて記憶可能であって、少なくとも１つの前記識別子に複数の前記閲覧情報を対応付けて記憶する記憶手段を参照し、前記出力閲覧情報識別ステップで識別した前記閲覧情報に基づいて、前記画面に出力すべき前記識別子を決定する識別子決定ステップと、
前記画面に、前記識別子決定ステップで決定した前記識別子を出力する識別子出力ステップと、
を有する表示処理方法。
【発明の詳細な説明】
【技術分野】
【０００１】
本発明は、表示処理装置、表示処理方法およびプログラムに関する。
【背景技術】
【０００２】
画面に複数の情報を同時に出力する技術がある。例えば、所定のアプリケーションのポータル画面において、複数の情報を集約して出力する技術がある。【０００３】
その他、複数のアプリケーションを制御するＯＳ（Ｏｐｅｒａｔｉｎｇ  Ｓｙｓｔｅｍ）により実現されている画面（以下、「ＯＳ画面」という場合がある）において、複数のアプリケーション各々が処理する情報を複数のウインドウ各々に表示し、複数のウインドウを並べて出力したり、重ねて出力したりと、様々な態様で出力する技術がある。【０００４】
このような技術によれば、ユーザは、画面に複数の情報を出力し、複数の情報を交互に閲覧しながら１つの作業を行ったり、また、複数の情報を交互に閲覧しながら２つ以上の作業を並行して行ったりすることができ、便利である。【０００５】
当該技術に関連する技術としては、例えば特許文献１に記載されたものがある。【０００６】
特許文献１には、Ｗｅｂページの画面構成をユーザ識別子ごとに定義した画面構成定義、及び該画面構成定義を変更するルールをユーザ識別子ごとに定義した画面構成変更定義に基づいてＷｅｂページを生成する手段を有するポータル画面構成装置において、クライアントから受信した要求データに基づいて取得したユーザ識別子に対応する画面構成定義および画面構成変更定義を取得する手段と、ポータル画面構成装置又はクライアントからユーザ別画面構成変更要因を取得する手段と、画面構成変更定義及びユーザ別画面構成変更要因に基づいて画面構成定義を変更する手段と、変更された画面構成定義に基づいてＷｅｂページのデータを生成処理する手段とを有するポータル画面構成装置が記載されている。
【先行技術文献】
【特許文献】
【０００７】
【特許文献１】特開２００６−１０７０１２号公報
【発明の概要】
【発明が解決しようとする課題】
【０００８】
本発明者は、画面に複数の情報を同時に出力する技術（以下、「当該技術」という）においては、以下のような課題があることを見出した。【０００９】
複数の情報が同時に出力されている画面を閲覧しながら所定の作業を行うユーザは、当該画面に、どのような作業に関連する情報が出力されているのか、容易に把握することを望むと考えられる。【００１０】
作業と情報とが一対一で対応している場合には、ユーザは、画面に出力されている情報各々を把握することで、どのような作業に関連する情報が画面に出力されているのか容易に把握することができる。【００１１】
しかし、上述の通り、ユーザは、画面に出力されている複数の情報を交互に閲覧しながら１つの作業を行ったり、また、複数の情報を交互に閲覧しながら２つ以上の作業を並行して行ったりと、様々な態様で、所定の作業を行う場合がある。また、１つの情報が複数の作業に利用される場合もあり得る。すなわち、１つの作業に複数の情報が対応する場合、また、１つの情報が複数の作業に対応する場合がある。このため、複数の情報が同時に出力されている画面を目の前にしたユーザは、どのような作業に関連する情報が画面に出力されているのか容易に把握することができないという課題がある。【００１２】
そこで、本発明では、画面に複数の情報が出力されている状態において、画面にどのような作業に関連する情報が出力されているのか、ユーザが容易に把握できる技術を提供することを課題とする。
【課題を解決するための手段】
【００１３】
本発明によれば、識別子と、画面に出力可能な複数の閲覧情報とを対応付けて記憶可能であって、少なくとも１つの前記識別子に複数の前記閲覧情報を対応付けて記憶する記憶手段と、前記画面に複数の前記閲覧情報を同時に出力できるように構成され、前記画面に前記閲覧情報を出力する閲覧情報出力手段と、前記画面に出力されている前記閲覧情報を識別する出力閲覧情報識別手段と、前記記憶手段を参照し、前記出力閲覧情報識別手段が識別した前記閲覧情報に基づいて、前記画面に出力すべき前記識別子を決定する識別子決定手段と、前記画面に、前記識別子決定手段が決定した前記識別子を出力する識別子出力手段と、を有する表示処理装置が提供される。【００１４】
また、本発明によれば、コンピュータを、識別子と、画面に出力可能な複数の閲覧情報とを対応付けて記憶可能であって、少なくとも１つの前記識別子に複数の前記閲覧情報を対応付けて記憶する記憶手段、前記画面に複数の前記閲覧情報を同時に出力できるように構成され、前記画面に前記閲覧情報を出力する閲覧情報出力手段、前記画面に出力されている前記閲覧情報を識別する出力閲覧情報識別手段、前記記憶手段を参照し、前記出力閲覧情報識別手段が識別した前記閲覧情報に基づいて、前記画面に出力すべき前記識別子を決定する識別子決定手段、前記画面に、前記識別子決定手段が決定した前記識別子を出力する識別子出力手段、として機能させるためのプログラムが提供される。【００１５】
また、本発明によれば、画面に、複数の閲覧情報の中の少なくとも１つを出力する閲覧情報出力ステップと、画面に出力されている前記閲覧情報を識別する出力閲覧情報識別ステップと、識別子と、画面に出力可能な複数の閲覧情報とを対応付けて記憶可能であって、少なくとも１つの前記識別子に複数の前記閲覧情報を対応付けて記憶する記憶手段を参照し、前記出力閲覧情報識別ステップで識別した前記閲覧情報に基づいて、前記画面に出力すべき前記識別子を決定する識別子決定ステップと、前記画面に、前記識別子決定ステップで決定した前記識別子を出力する識別子出力ステップと、を有する表示処理方法が提供される。
【発明の効果】
【００１６】
本発明によれば、画面に複数の情報が出力されている状態において、画面にどのような作業に関連する情報が出力されているのか、ユーザが容易に把握することが可能となる。
【図面の簡単な説明】
【００１７】
上述した目的、および、その他の目的、特徴および利点は、以下に述べる好適な実施の形態、および、それに付随する以下の図面によって、さらに明らかになる。
【図１】本実施形態の表示処理装置により実現される画面表示の一例を模式的に示す図である。
【図２】本実施形態の表示処理装置が保持する情報の一例を模式的に示した図である。
【図３】本実施形態の表示処理装置の機能ブロック図の一例である。
【図４】本実施形態の表示処理装置の処理の流れの一例を示すフローチャートである。
【図５】本実施形態の表示処理装置の機能ブロック図の一例である。
【図６】本実施形態の表示処理装置により実現される画面表示の一例を模式的に示す図である。
【図７】本実施形態の表示処理装置の機能ブロック図の一例である。
【図８】本実施形態の表示処理装置により実現される画面表示の一例を模式的に示す図である。
【図９】本実施形態の表示処理装置により実現される画面表示の一例を模式的に示す図である。
【図１０】本実施形態の表示処理装置により実現される画面表示の一例を模式的に示す図である。
【図１１】本実施形態の表示処理装置の機能ブロック図の一例である。
【図１２】本実施形態の表示処理装置により実現される画面表示の一例を模式的に示す図である。
【図１３】本実施形態の表示処理装置が保持する情報の一例を模式的に示した図である。
【図１４】本実施形態の表示処理装置の機能ブロック図の一例である。
【図１５】本実施形態の表示処理装置により実現される画面表示の一例を模式的に示す図である。
【図１６】本実施形態の表示処理装置の機能ブロック図の一例である。
【図１７】本実施形態の表示処理装置により実現される画面表示の一例を模式的に示す図である。
【図１８】本実施形態の表示処理装置により実現される画面表示の一例を模式的に示す図である。
【図１９】本実施形態の表示処理装置により実現される画面表示の一例を模式的に示す図である。
【図２０】本実施形態の表示処理装置が保持する情報の一例を模式的に示した図である。
【発明を実施するための形態】
【００１８】
以下、本発明の実施の形態について図面を用いて説明する。
【００１９】
なお、本実施形態の表示処理装置を構成する各部は、任意のコンピュータのＣＰＵ、メモリ、メモリにロードされたプログラム（あらかじめ機器を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェースを中心にハードウエアとソフトウエアの任意の組合せによって実現される。そして、その実現方法、機器にはいろいろな変形例があることは、当業者には理解されるところである。
【００２０】
また、本実施形態の説明において利用する機能ブロック図は、ハードウエア単位の構成ではなく、機能単位のブロックを示している。これらの図においては、本実施形態の表示処理装置は１つの機器により実現されるよう記載されているが、その実現手段はこれに限定されない。すなわち、物理的に分かれた構成であっても、論理的に分かれた構成であっても構わない。
【００２１】
＜実施形態１＞
まず、本実施形態の表示処理装置の概要について説明する。なお、本実施形態では、一例として、表示処理装置が、データセンタ運用管理支援アプリケーションのポータル画面において、複数の情報を同時に出力する場合を例に説明する。データセンタ運用管理支援アプリケーションとは、データセンタ運用管理に関連するあらゆる情報を収集し、ディスプレイ等の出力装置に出力等するためのアプリケーションである。当該アプリケーションによれば、データセンタを運用管理する管理者は、安全かつ効率的にデータセンタを運用することができる。なお、本実施形態の表示処理装置は、その他のアプリケーションのポータル画面において、複数の情報を同時に出力する構成とすることもできる。
【００２２】
図１は、本実施形態の表示処理装置により実現された表示画面の一例であり、データセンタ運用管理支援アプリケーションのポータル画面（以下、単に「ポータル画面」という場合がある）の一例を模式的に示した図である。図１（ａ）に示すように、本実施形態の表示処理装置は、ポータル画面に複数の情報（Ｖ、Ｗ、ＸおよびＹ）を同時に出力することができる。
【００２３】
また、本実施形態の表示処理装置は、あらかじめ、図２に示すように、識別子と、ポータル画面に出力可能な情報の中の少なくとも１つとを対応付けて記憶しておく。すなわち、本実施形態の表示処理装置は、ポータル画面に出力可能な複数の情報を任意に組み合わせた組み合わせと、当該組み合わせを識別するための識別子とを対応付けて記憶しておく。なお、ここでの組み合わせは、例えば、１つの作業を行うために同時に閲覧される複数の情報からなる組み合わせとすることができる。図２の場合、例えば、情報ＸおよびＹからなる組み合わせと、識別子「Ｔａｓｋ＿Ａ１」とが対応付けられている。
【００２４】
本実施形態の表示処理装置は、ポータル画面に出力されている情報（図１（ａ）の画面の場合、Ｖ、Ｗ、ＸおよびＹ）を識別すると、図２に示す情報を参照し、識別子と対応付けてあらかじめ記憶している情報の組み合わせの中の、ポータル画面に出力されている組み合わせを特定する。そして、特定した組み合わせに対応付けられている識別子を、ポータル画面に出力する。図１（ａ）に示すポータル画面の場合、表示処理装置は、図２に示す情報を参照して「Ｘ、Ｙ」および「Ｖ、Ｗ、Ｙ」の組み合わせを特定し、当該組み合わせ各々に対応付けられている識別子「Ｔａｓｋ＿Ａ１」および「Ｔａｓｋ＿Ａ２」をポータル画面に出力する。
【００２５】
以下、図１乃至図３を用いて、本実施形態の表示処理装置について詳細に説明する。
【００２６】
図３は、本実施形態の表示処理装置１の構成の一例を示す機能ブロック図である。図３に示す本実施形態の表示処理装置１は、記憶部１０と、閲覧情報出力部２０と、出力閲覧情報識別部３０と、識別子決定部４０と、識別子出力部５０と、を有する。以下、各部の構成について詳細に説明する。
【００２７】
記憶部１０は、識別子と、画面に出力可能な複数の閲覧情報とを対応付けて記憶可能である。本実施形態では、記憶部１０は、識別子と、ポータル画面に出力可能な複数の閲覧情報とを対応付けて記憶可能である。そして、記憶部１０は、少なくとも１つの識別子に複数の閲覧情報を対応付けて記憶する。記憶部１０は、識別子に１つの閲覧情報を対応付けて記憶できてもよい。
【００２８】
このような記憶部１０の構成を実現する手段は特段制限されないが、例えば、記憶部１０は、識別子と、ポータル画面に出力可能な複数の閲覧情報の中の少なくとも１つとを対応付けたテーブル（以下、「第１テーブル」という）を保持してもよい。第１テーブルの一例としては、図２に示したような構成とすることができる。本実施形態では、記憶部１０は、図２に示す第１テーブルを保持するものとする。
【００２９】
ここで、「画面に出力可能な閲覧情報」は、ユーザに閲覧させることを目的として画面に出力されるあらゆる情報が該当する。閲覧情報の数、および内容は特段制限されない。本実施形態では、データセンタ運用管理支援アプリケーションが収集し、ポータル画面に出力することができる情報が閲覧情報に該当する。
【００３０】
例えば、本実施形態では、閲覧情報は、「データセンタ全体のサービス稼働率を示す情報」や、「発生した障害を一覧表示する情報（障害の状態、障害の内容、地域、日時など）」や、「マップビュー（地図上に各地区のサービス稼働率、運用コスト、障害情報などを配置したもの）」や、「重要サービス一覧（重要サービスのサービス稼働率などを表示したもの）」などとすることができる。なお、ここでの閲覧情報の例示はあくまで一例であり、本実施形態の閲覧情報は、例示した中の１つ以上を含まなくてもよいし、その他の情報を含んでもよい。当然、アプリケーションの内容が異なれば、閲覧情報の内容は異なる。
【００３１】
識別子は、閲覧情報を任意に組み合わせた複数の組み合わせ各々を識別するための情報であり、文字、数字、記号などの集合体とすることができる。閲覧情報の組み合わせは、任意に決定できる。すなわち、１つの組み合わせに含まれる閲覧情報の数は特段制限されず、また、１つの閲覧情報が複数の組み合わせに重ねて含まれてもよい。なお、本実施形態では、閲覧情報の組み合わせは、ユーザが１つの作業を行うために同時に閲覧する複数の閲覧情報を組み合わせたものとする。
【００３２】
このような組み合わせを識別する識別子自体は意味を有さない文字、数字、記号などの集合体であってもよいし（例：無作為に数字を配列した識別子など）、または、意味を有する文字、数字、記号などの集合体であってもよい。意味を有する文字、数字、記号などの集合体とする場合には、対応付けられる閲覧情報の組み合わせを認識できる情報や、当該識別子に対応付けられている閲覧情報を閲覧しながら行われる作業の内容を認識できる情報とするのが望ましい。
【００３３】
例えば、閲覧情報「全体のサービス稼働率を示す情報」と「マップビュー（地図上に各地区のサービス稼働率、運用コスト、障害情報などを配置したもの）」とからなる組み合わせの場合、ユーザは、これらの閲覧情報を閲覧しながら、サービス稼働率の全体像を把握する作業を行うと考えられる。よって、当該組み合わせに対応付けられる識別子は「サービス稼働率確認」などとしてもよい。
【００３４】
その他、閲覧情報「発生した障害を一覧表示する情報（障害の状態、障害の内容、地域、日時など）」と「マップビュー（地図上に各地区のサービス稼働率、運用コスト、障害情報などを配置したもの）」とからなる組み合わせの場合、ユーザは、これらの閲覧情報を閲覧しながら、サービスの障害状態の全体像を把握する作業を行うと考えられる。よって、当該組み合わせに対応付けられる識別子は「障害状況確認」などとしてもよい。
【００３５】
このようにすれば、ユーザは、識別子が有する意味から、容易に、当該識別子に対応付けられている閲覧情報の組み合わせがどのような閲覧情報を組み合わせたものか、また、どのような作業を行うための組み合わせか等を把握することができる。
【００３６】
なお、記憶部１０が保持する情報、例えば第１テーブルは、ユーザが編集できるよう構成してもよい。ユーザが記憶部１０に記憶されている情報を編集する処理は従来技術に準じて実現することができるが、後述する実施形態で一例を説明する。
【００３７】
閲覧情報出力部２０は、画面に閲覧情報を出力する。本実施形態では、閲覧情報出力部２０は、ポータル画面に閲覧情報を出力する。なお、閲覧情報出力部２０は、画面に複数の閲覧情報を同時に出力できるように構成されている。例えば、閲覧情報出力部２０は、ポータル画面に、ウインドウやＨＩ（Ｈｕｍａｎ  Ｉｎｔｅｒｆａｃｅ）部品を同時に複数出力できるように構成され、１つのウインドウまたはＨＩ部品に１つの閲覧情報を表示することで、ポータル画面に複数の閲覧情報を同時に出力する構成を実現する。なお、閲覧情報を出力するディスプレイ等の表示装置は、表示処理装置１が有してもよいし、表示処理装置１が有さなくてもよい。表示処理装置１が当該表示装置を有さない場合には、表示処理装置１は有線／無線で表示装置と接続し、閲覧情報出力部２０は当該表示装置のディスプレイに閲覧情報を出力することとなる。
【００３８】
ここで、閲覧情報出力部２０がポータル画面に出力する閲覧情報を取得する手段は特段制限されず、あらゆる態様とすることができる。例えば、閲覧情報は表示処理装置１が有するメモリに記憶されており、閲覧情報出力部２０は当該メモリから閲覧情報を取得し、ポータル画面に出力してもよい。または、表示処理装置１は閲覧情報を記憶している外部機器と有線／無線で通信可能に構成しておき、閲覧情報出力部２０は、外部機器から閲覧情報を取得し、ポータル画面に出力してもよい。または、表示処理装置１は閲覧情報の一部となる測定データを記憶している外部機器と有線／無線で通信可能に構成しておき、閲覧情報出力部２０は、リアルタイム処理および／またはバッチ処理で外部機器から測定データを取得し、表示処理装置１が有するメモリから取得した雛型データの所定位置に、当該測定データを配置して、ポータル画面に出力してもよい。
【００３９】
出力閲覧情報識別部３０は、画面に出力されている閲覧情報を識別する。本実施形態では、出力閲覧情報識別部３０は、ポータル画面に出力されている閲覧情報を識別する。例えば、図１（ａ）に示すポータル画面の場合、出力閲覧情報識別部３０は、閲覧情報Ｖ、Ｗ、ＸおよびＹを、ポータル画面に出力されている閲覧情報として識別する。また、図１（ｂ）に示すポータル画面の場合、出力閲覧情報識別部３０は、閲覧情報Ｖ、Ｗ、Ｘ、ＹおよびＺを、ポータル画面に出力されている閲覧情報として識別する。
【００４０】
なお、出力閲覧情報識別部３０が上記識別を実現する手段は特段制限されないが、ポータル画面に所定の閲覧情報を出力する閲覧情報出力部２０からポータル画面に出力中の閲覧情報を識別する情報を取得することで実現してもよい。
【００４１】
識別子決定部４０は、記憶部１０を参照し、出力閲覧情報識別部３０が識別した閲覧情報に基づいて、画面に出力すべき識別子を決定する。本実施形態では、識別子決定部４０は、第１テーブル（図２参照）を参照し、ポータル画面に出力すべき識別子を決定する。
【００４２】
また、本実施形態では、識別子決定部４０は、ポータル画面に出力すべき識別子として、出力閲覧情報識別部３０が識別した少なくとも１つの閲覧情報の中に、対応付けられているすべての閲覧情報が含まれている識別子（以下、「第１の識別子」という）を決定する。
【００４３】
具体的には、図１（ａ）に示すポータル画面の場合、出力閲覧情報識別部３０は、閲覧情報Ｖ、Ｗ、ＸおよびＹを、ポータル画面に出力されている閲覧情報として識別し、当該情報を識別子決定部４０に通知する。すると、識別子決定部４０は、第１テーブル（図２参照）を参照し、閲覧情報Ｖ、Ｗ、ＸおよびＹの中に、対応付けられているすべての閲覧情報が含まれている第１の識別子、すなわち、識別子「Ｔａｓｋ＿Ａ１」および「Ｔａｓｋ＿Ａ２」を、ポータル画面に出力すべき識別子として決定する。
【００４４】
また、図１（ｂ）に示すポータル画面の場合、出力閲覧情報識別部３０は、閲覧情報Ｖ、Ｗ、Ｘ、ＹおよびＺを、ポータル画面に出力されている閲覧情報として識別し、当該情報を識別子決定部４０に通知する。すると、識別子決定部４０は、第１テーブル（図２参照）を参照し、閲覧情報Ｖ、Ｗ、Ｘ、ＹおよびＺの中に、対応付けられているすべての閲覧情報が含まれている第１の識別子、すなわち、識別子「Ｔａｓｋ＿Ａ１」、「Ｔａｓｋ＿Ａ２」および「Ｔａｓｋ＿Ａ３」を、画面に出力すべき識別子として決定する。
【００４５】
識別子出力部５０は、画面に、識別子決定部４０が決定した識別子（第１の識別子）を出力する。本実施形態では、識別子出力部５０は、ポータル画面に第１の識別子を出力する。
【００４６】
例えば、識別子出力部５０は、図１（ａ）および図１（ｂ）に示すポータル画面のように、ポータル画面の第１の領域に閲覧情報出力部２０が閲覧情報を出力している状態で、当該ポータル画面の第１の領域とは異なる第２の領域に、第１の識別子を出力する。
【００４７】
このような本実施形態の表示処理装置１は、例えば、以下のプログラムをコンピュータにインストールすることで実現することができる。
コンピュータを、
識別子と、画面に出力可能な複数の閲覧情報とを対応付けて記憶可能であって、少なくとも１つの前記識別子に複数の前記閲覧情報を対応付けて記憶する記憶手段、
前記画面に複数の前記閲覧情報を同時に出力できるように構成され、前記画面に前記閲覧情報を出力する閲覧情報出力手段、
前記画面に出力されている前記閲覧情報を識別する出力閲覧情報識別手段、
前記記憶手段を参照し、前記出力閲覧情報識別手段が識別した前記閲覧情報に基づいて、前記画面に出力すべき前記識別子を決定する識別子決定手段、
前記画面に、前記識別子決定手段が決定した前記識別子を出力する識別子出力手段、
として機能させるためのプログラム。
【００４８】
次に、本実施形態の表示処理装置１により実現される表示処理方法の処理の流れの一例を、図１、図２および図４を用いて説明する。
【００４９】
図４のフローチャートに示すように、本実施形態の表示処理方法は、閲覧情報出力ステップＳ１０と、出力閲覧情報識別ステップＳ２０と、識別子決定ステップＳ３０と、識別子出力ステップＳ４０と、を有する。
【００５０】
閲覧情報出力ステップＳ１０では、閲覧情報出力部２０が、ユーザ操作に応じて、ポータル画面に、複数の閲覧情報の中の少なくとも１つを出力する。
【００５１】
例えば、閲覧情報出力部２０は、図１（ａ）に示すように、ポータル画面に閲覧情報Ｖ、Ｗ、ＸおよびＹを出力する。
【００５２】
出力閲覧情報識別ステップＳ２０では、出力閲覧情報識別部３０が、ポータル画面に出力されている閲覧情報を識別する。
【００５３】
例えば、出力閲覧情報識別部３０は、図１（ａ）に示すポータル画面の場合、閲覧情報Ｖ、Ｗ、ＸおよびＹを識別する。
【００５４】
識別子決定ステップＳ３０では、識別子決定部４０が、記憶部１０を参照し、出力閲覧情報識別ステップＳ２０で識別した閲覧情報に基づいて、ポータル画面に出力すべき識別子を決定する。
【００５５】
本例では、識別子決定部４０は、ポータル画面に出力すべき識別子として、出力閲覧情報識別ステップＳ２０で識別した少なくとも１つの閲覧情報の中に、対応付けられているすべての閲覧情報が含まれている識別子である第１の識別子を決定する。
【００５６】
例えば、識別子決定部４０は、図１（ａ）に示すポータル画面の場合、第１テーブル（図２参照）を参照し、ポータル画面に出力すべき識別子として、閲覧情報ＸおよびＹが対応付けられている識別子「Ｔａｓｋ＿Ａ１」と、閲覧情報Ｖ、ＷおよびＹが対応付けられている識別子「Ｔａｓｋ＿Ａ２」とを決定する。
【００５７】
識別子出力ステップＳ４０では、識別子出力部５０が、ポータル画面に、識別子決定ステップＳ３０で決定した識別子である第１の識別子を出力する。
【００５８】
例えば、識別子出力部５０は、図１（ａ）に示すポータル画面のように、ポータル画面の第１の領域に複数の閲覧情報が出力されている状態で、当該ポータル画面の第１の領域とは異なる第２の領域に、識別子決定部４０が決定した識別子「Ｔａｓｋ＿Ａ１」および「Ｔａｓｋ＿Ａ２」を出力する。
【００５９】
次に、本実施形態の作用効果について説明する。
複数の情報が同時に出力されている画面を閲覧しながら所定の作業を行うユーザは、当該画面に、どのような作業に関連する情報が出力されているのか、容易に把握することを望むと考えられる。
【００６０】
作業と情報とが一対一で対応している場合には、ユーザは、画面に出力されている情報各々を把握することで、どのような作業に関連する情報が画面に出力されているのか容易に把握することができる。
【００６１】
しかし、ユーザは、画面に出力されている複数の情報を交互に閲覧しながら１つの作業を行ったり、また、複数の情報を交互に閲覧しながら２つ以上の作業を並行して行ったりと、様々な態様で、所定の作業を行う場合がある。また、１つの情報が複数の作業に利用される場合もあり得る。すなわち、１つの作業に複数の情報が対応する場合、また、１つの情報が複数の作業に対応する場合がある。このため、複数の情報が同時に出力されている画面を目の前にしたユーザは、どのような作業に関連する情報が画面に出力されているのか容易に把握することができないという課題があった。
本実施形態の構成によれば、上述のような課題を解決することができる。すなわち、本実施形態の構成では、図２に示すように、あらかじめ、例えば１つの作業を行うために同時に閲覧される複数の情報からなる組み合わせを、１つの識別子に対応付けて記憶しておく。そして、図１（ａ）および図１（ｂ）に示すポータル画面のように、ポータル画面に複数の閲覧情報が同時に出力されている状態において、当該複数の閲覧情報の中に対応付けられている閲覧情報がすべて含まれている第１の識別子を、ポータル画面に出力することができる。
【００６２】
このような本実施形態の構成によれば、ユーザは、ポータル画面に第１の識別子が出力されているという事実を基に、ポータル画面に出力されている複数の閲覧情報の中に、所定の作業を行うために閲覧すべき複数の閲覧情報がすべて存在することを認識することができる。
【００６３】
＜実施形態２＞
本実施形態の表示処理装置１は、実施形態１の表示処理装置の構成に加えて、さらに、ユーザ操作に応じてポータル画面に出力する閲覧情報を変更すると、それに伴い、ポータル画面に出力する識別子を変更する構成を有する。
【００６４】
本実施形態の表示処理装置１の構成の一例を示す機能ブロック図は、実施形態１の表示処理装置１の構成の一例を示す機能ブロック図（図３）と同様である。以下、各部の構成について詳細に説明する。なお、実施形態１と同様の構成については、ここでの説明は省略する。
【００６５】
閲覧情報出力部２０は、ユーザ操作に応じて、画面に出力する閲覧情報を変更する。本実施形態では、閲覧情報出力部２０は、ユーザ操作に応じて、ポータル画面に出力する閲覧情報を変更する。なお、ユーザからポータル画面に出力する閲覧情報を変更する指示入力を受付ける手段は特段制限されず、従来技術に準じて実現することができる。
【００６６】
出力閲覧情報識別部３０は、画面に出力される閲覧情報が変更されると、例えばそれをトリガに、画面に出力されている閲覧情報を識別し直す。本実施形態では、出力閲覧情報識別部３０は、ポータル画面に出力される閲覧情報が変更されると、例えばそれをトリガに、ポータル画面に出力されている閲覧情報を識別し直す。
【００６７】
識別子決定部４０は、出力閲覧情報識別部３０が閲覧情報を識別し直すと、例えばそれをトリガに、記憶部１０を参照し、出力閲覧情報識別部３０が識別し直した閲覧情報に基づいて、画面に出力すべき識別子を決定し直す。本実施形態では、識別子決定部４０は、出力閲覧情報識別部３０が閲覧情報を識別し直すと、例えばそれをトリガに、第１テーブル（図２参照）を参照し、出力閲覧情報識別部３０が識別し直した閲覧情報に基づいて、ポータル画面に出力すべき識別子を決定し直す。
【００６８】
識別子出力部５０は、識別子決定部４０が識別子を決定し直すと、例えばそれをトリガに、画面に出力する識別子を、識別子決定部４０が決定し直した第１の識別子に変更する。本実施形態では、識別子出力部５０は、識別子決定部４０が識別子を決定し直すと、例えばそれをトリガに、ポータル画面に出力する識別子を、識別子決定部４０が決定し直した第１の識別子に変更する。
【００６９】
以下、本実施形態の表示処理装置１により実現される表示処理方法の処理の流れの一例を説明する。
【００７０】
まず、閲覧情報出力部２０は、図１（ａ）に示すポータル画面のように、ポータル画面に閲覧情報Ｖ、Ｗ、ＸおよびＹを出力している状態において、ユーザから閲覧情報Ｚをさらに出力する指示入力を受付けると、図１（ｂ）に示すポータル画面のように、ポータル画面に閲覧情報Ｚを追加出力する。
【００７１】
次に、出力閲覧情報識別部３０は、変更後の図１（ｂ）に示すポータル画面の状態において、ポータル画面に出力されている閲覧情報Ｖ、Ｗ、Ｘ、ＹおよびＺを識別する。
【００７２】
次に、識別子決定部４０は、第１テーブル（図２参照）を参照し、出力閲覧情報識別部３０が識別し直した閲覧情報Ｖ、Ｗ、Ｘ、ＹおよびＺの中に、対応付けられている閲覧情報のすべてが含まれている識別子である第１の識別子「Ｔａｓｋ＿Ａ１」、「Ｔａｓｋ＿Ａ２」および「Ｔａｓｋ＿Ａ３」を、ポータル画面に出力すべき識別子として決定する。
【００７３】
次に、識別子出力部５０は、ポータル画面に出力する識別子を、「Ｔａｓｋ＿Ａ１」および「Ｔａｓｋ＿Ａ２」から、「Ｔａｓｋ＿Ａ１」、「Ｔａｓｋ＿Ａ２」および「Ｔａｓｋ＿Ａ３」に変更する。
【００７４】
このような各部の機能により、ユーザ操作に応じてポータル画面に出力される閲覧情報が変更され、それに起因して、ポータル画面に出力される識別子が変更される処理が実現される（図１（ａ）→図１（ｂ））。
【００７５】
次に、本実施形態の表示処理装置１により実現される表示処理方法の他の処理の流れの一例を説明する。
【００７６】
まず、閲覧情報出力部２０は、図１（ｂ）に示すポータル画面のように、ポータル画面に閲覧情報Ｖ、Ｗ、Ｘ、ＹおよびＺを出力している状態において、ユーザから閲覧情報Ｚの出力を中止する指示入力（例：閲覧情報Ｚを出力しているウインドウを閉じる指示入力）を受付けると、図１（ａ）に示すポータル画面のように、閲覧情報Ｚの出力を中止する。
【００７７】
次に、出力閲覧情報識別部３０は、変更後の図１（ａ）に示すポータル画面の状態において、ポータル画面に出力されている閲覧情報Ｖ、Ｗ、ＸおよびＹを識別する。
【００７８】
次に、識別子決定部４０は、第１テーブル（図２参照）を参照し、出力閲覧情報識別部３０が識別し直した閲覧情報Ｖ、Ｗ、ＸおよびＹの中に、対応付けられている閲覧情報のすべてが含まれている識別子である第１の識別子「Ｔａｓｋ＿Ａ１」および「Ｔａｓｋ＿Ａ２」を、ポータル画面に出力すべき識別子として決定する。
【００７９】
次に、識別子出力部５０は、ポータル画面に出力する識別子を、「Ｔａｓｋ＿Ａ１」、「Ｔａｓｋ＿Ａ２」および「Ｔａｓｋ＿Ａ３」から、「Ｔａｓｋ＿Ａ１」および「Ｔａｓｋ＿Ａ２」に変更する。
【００８０】
このような各部の機能により、ユーザ操作に応じてポータル画面に出力される閲覧情報が変更され、それに起因して、ポータル画面に出力される識別子が変更される処理が実現される（図１（ｂ）→図１（ａ））。
【００８１】
以下、本実施形態の作用効果について説明する。
本実施形態の構成では、ポータル画面に出力される閲覧情報が変更されると、それに伴い、ポータル画面に出力される識別子が自動的に変更される。このような本実施形態の構成によれば、ユーザは、ポータル画面に出力される閲覧情報が変更されても、変更後の閲覧情報の中に、どのような作業に関連する閲覧情報が出力されているのか、リアルタイムで、容易に把握することができる。
【００８２】
また、本実施形態の構成によれば、実施形態１と同様の作用効果を実現することができる。
【００８３】
＜実施形態３＞
本実施形態の表示処理装置１の構成は、識別子の出力方法が異なる（図６参照）以外は、実施形態１または２の構成と同様である。
【００８４】
図５は、本実施形態の表示処理装置１の構成の一例を示す機能ブロック図である。図５に示す本実施形態の表示処理装置１は、記憶部１０と、閲覧情報出力部２０と、出力閲覧情報識別部３０と、識別子決定部４０と、識別子出力部５０と、識別子出力受付部５１と、を有する。以下、各部の構成について詳細に説明する。なお、実施形態１または２と同様の構成については、ここでの説明は省略する。
【００８５】
識別子出力受付部５１は、閲覧情報出力部２０が画面に閲覧情報を出力している状態で、識別子を出力する指示入力を受付ける。本実施形態では、識別子出力受付部５１は、閲覧情報出力部２０がポータル画面に閲覧情報を出力している状態で、識別子を出力する指示入力を受付ける。識別子出力受付部５１が当該指示入力を受付ける手段は特段制限されず、あらゆる従来技術に準じて実現することができる。
【００８６】
識別子出力部５０は、識別子出力受付部５１が上記指示入力を受付けると、当該入力の受付けをトリガに、画面に閲覧情報を出力している状態で、識別子決定部４０が決定した識別子（第１の識別子）を画面に出力する。本実施形態では、識別子出力部５０は、識別子出力受付部５１が上記指示入力を受付けると、当該入力の受付けをトリガに、ポータル画面に閲覧情報を出力している状態で、第１の識別子をポータル画面に出力する。
【００８７】
例えば、識別子出力部５０は、図６に示すポータル画面のように、ポータル画面に複数の閲覧情報が出力されている状態で、例えばマウスの右クリックによる入力を受付けると、図示するようなコンテキストメニュー（図中、縦長のコンテキストメニュー）をポータル画面に出力する。そして、識別子出力部５０は、当該コンテキストメニューから所定のメニュー（例：図中「関連タスク」）の選択入力を受付けると、新たなコンテキストメニュー（図中、横長のコンテキストメニュー）により識別子を出力する。
【００８８】
なお、図６に示す識別子は、当該識別子に対応付けられている閲覧情報を閲覧しながら行われる作業の内容を認識できる情報となっている。例えば、図６に示す識別子「ＳＬＡ（Ｓｅｒｖｉｃｅ  Ｌｅｖｅｌ  Ａｇｒｅｅｍｅｎｔ）違反の有無と程度を確認する」には、ＳＬＡ違反の有無と程度を確認する作業を行うために同時に閲覧される閲覧情報が対応付けられている。ユーザは、当該識別子が出力されている事実を基に、ポータル画面に出力されている複数の閲覧情報の中に、当該作業を行うために同時に閲覧される閲覧情報がすべて出力されていることを認識できる。
【００８９】
このような本実施形態の構成によれば、実施形態１および２と同様の作用効果を実現することができる。
【００９０】
＜実施形態４＞
本実施形態の表示処理装置１は、実施形態１乃至３のいずれか１つの表示処理装置１の構成に加えて、さらに、以下の構成を有する。
【００９１】
すなわち、本実施形態の表示処理装置１は、例えば図８（ｂ）に示すように、ポータル画面に出力されている第１の識別子（「Ｔａｓｋ＿Ａ１」等）の中の１つ（図８（ｂ）の場合、第１の識別子「Ｔａｓｋ＿Ａ１」）を特定する入力を受付ける。すると、本実施形態の表示処理装置１は、当該識別子に対応付けられている閲覧情報と、ポータル画面に出力されている他の閲覧情報とを、ユーザが区別できるように閲覧情報を出力する。図８（ｂ）の場合、第１の識別子「Ｔａｓｋ＿Ａ１」には閲覧情報Ｘ及びＹが対応付けられているので、閲覧情報Ｘ及びＹのみが強調表示されている。
【００９２】
図７は、本実施形態の表示処理装置１の構成の一例を示す機能ブロック図である。図７に示す本実施形態の表示処理装置１は、記憶部１０と、閲覧情報出力部２０と、出力閲覧情報識別部３０と、識別子決定部４０と、識別子出力部５０と、第１識別子特定受付部６０と、第１閲覧情報特定部６１と、を有する。以下、各部の構成について詳細に説明する。なお、実施形態１、２または３と同様の構成については、ここでの説明は省略する。
【００９３】
第１識別子特定受付部６０は、識別子出力部５０が出力する第１の識別子の中の１つを特定する入力を受付ける。第１識別子特定受付部６０が当該入力を受付ける手段は特段制限されず、あらゆる従来技術に準じて実現することができる。
【００９４】
第１閲覧情報特定部６１は、記憶部１０を参照し、第１識別子特定受付部６０が受付けた第１の識別子に対応付けられている閲覧情報を特定する。本実施形態では、第１閲覧情報特定部６１は第１テーブル（図２参照）を参照し、第１識別子特定受付部６０が受付けた第１の識別子に対応付けられている閲覧情報を特定する。
【００９５】
例えば、図８（ｂ）に示すポータル画面のように、第１識別子特定受付部６０が識別子「Ｔａｓｋ＿Ａ１」を特定する入力（例：ポインタの表示位置を識別子の表示位置に合わせる、または、ポインタの表示位置を識別子の表示位置に合わせて左クリックなど）を受付けると、第１閲覧情報特定部６１は第１テーブル（図２参照）を参照し、識別子「Ｔａｓｋ＿Ａ１」に対応付けられている閲覧情報ＸおよびＹを特定する。
【００９６】
閲覧情報出力部２０は、第１閲覧情報特定部６１が特定した閲覧情報と、出力中の他の閲覧情報とをユーザが区別できるように、閲覧情報を出力する。このような出力を実現する手段は特段制限されないが、例えば以下のような手段であってもよい。
【００９７】
例えば、閲覧情報出力部２０は、図８（ａ）に示すポータル画面の状態から、図８（ｂ）に示すポータル画面に示すように、第１識別子特定受付部６０が識別子「Ｔａｓｋ＿Ａ１」を特定する入力（例：ポインタの表示位置を識別子の表示位置に合わせる、または、ポインタの表示位置を識別子の表示位置に合わせて左クリックなど）を受付けると、図８（ｂ）に示すポータル画面のように、第１閲覧情報特定部６１が特定した閲覧情報（図の場合、ＸおよびＹ）のみを点滅させてもよい。
【００９８】
その他の手段としては、図９（ａ）に示すポータル画面の状態から、図９（ｂ）に示すポータル画面のように、第１識別子特定受付部６０が識別子「Ｔａｓｋ＿Ａ１」を特定する入力（例：ポインタの表示位置を識別子の表示位置に合わせる）を受付けると、閲覧情報出力部２０は、図９（ｂ）に示すポータル画面のように、第１閲覧情報特定部６１が特定した閲覧情報（図の場合、ＸおよびＹ）の表示面積を大きくし、他の閲覧情報の表示面積を、特定した閲覧情報の表示面積より小さくしてもよい。そして、図９（ｂ）に示すポータル画面の状態において、識別子「Ｔａｓｋ＿Ａ１」の特定が解除されると（例：ポインタの表示位置を識別子の表示位置からずらす）、閲覧情報出力部２０は、図９（ｃ）に示すポータル画面のように、識別子「Ｔａｓｋ＿Ａ１」の特定前の状態（図９（ａ）に示すポータル画面と同じ状態）に戻してもよい。
【００９９】
その他の手段としては、図１０（ａ）に示すポータル画面の状態から、図１０（ｂ）に示すポータル画面のように、第１識別子特定受付部６０が識別子「Ｔａｓｋ＿Ａ１」を特定する入力（例：ポインタの表示位置を識別子の表示位置に合わせる、ポインタの表示位置を識別子の表示位置に合わせて左クリックなど）を受付けると、閲覧情報出力部２０は、図１０（ｂ）に示すポータル画面のように、第１閲覧情報特定部６１が特定した閲覧情報（図の場合、ＸおよびＹ）を、他の閲覧情報よりも上側に出力してもよい。
【０１００】
なお、これらの手段はあくまで一例であり、閲覧情報出力部２０は、その他の出力手段を利用して、第１閲覧情報特定部６１が特定した閲覧情報と、出力中の他の閲覧情報とをユーザ区別できるように、閲覧情報を出力してもよい。
【０１０１】
以下、本実施形態の作用効果について説明する。
本実施形態の構成によれば、ポータル画面に複数の閲覧情報が同時に出力されている状態において、当該複数の閲覧情報の中に対応付けられている閲覧情報がすべて含まれている第１の識別子を、ポータル画面に出力することができる。そして、本実施形態では、出力されている第１の識別子の中の１つを特定する入力を受付けると、当該識別子に対応付けられている閲覧情報と、出力中の他の閲覧情報とをユーザが区別できるように、閲覧情報を出力することができる。
【０１０２】
このような本実施形態の構成によれば、ユーザは、ポータル画面に出力されている第１の識別子に対応付けられている閲覧情報を容易に認識することができる。すなわち、所定の作業を行う際に閲覧すべき閲覧情報を容易に認識することができる。
【０１０３】
また、本実施形態の構成によれば、実施形態１乃至３と同様の作用効果を実現することもできる。
【０１０４】
＜実施形態５＞
本実施形態の表示処理装置１は、実施形態１乃至４のいずれか１つの表示処理装置１の構成に加えて、さらに、例えば図１２（ａ）に示すポータル画面のように、ポータル画面に出力されている閲覧情報の中に、対応付けられている閲覧情報の少なくとも１つが含まれ、かつ、対応付けられている閲覧情報のすべては含まれていない識別子である第２の識別子（図１２（ａ）に示すポータル画面の場合、識別子「Ｔａｓｋ＿Ａ１」）を出力する構成を有する。
【０１０５】
なお、本実施形態の表示処理装置１は、図１２（ａ）に示すポータル画面のように、第２の識別子に加えて、第１の識別子（図１２（ａ）のポータル画面の場合、識別子「Ｔａｓｋ＿Ａ２」および「Ｔａｓｋ＿Ａ３」）をポータル画面に出力することもできる。かかる場合、表示処理装置１は、第１の識別子と第２の識別子とをユーザが区別できるように出力する。
【０１０６】
図１１は、本実施形態の表示処理装置１の構成の一例を示す機能ブロック図である。図１１に示す本実施形態の表示処理装置１は、記憶部１０と、閲覧情報出力部２０と、出力閲覧情報識別部３０と、識別子決定部４０と、識別子出力部５０と、第２識別子特定受付部７０とを有する。第２閲覧情報特定部７１と、以下、各部の構成について詳細に説明する。なお、実施形態１、２、３または４と同様の構成については、ここでの説明は省略する。
【０１０７】
識別子決定部４０は、画面に出力すべき識別子として、出力閲覧情報識別部３０が識別した少なくとも１つの閲覧情報の中に、対応付けられている閲覧情報の少なくとも１つが含まれ、かつ、対応付けられている閲覧情報のすべては含まれていない識別子である第２の識別子を決定する。本実施形態においては、識別子決定部４０は、第１テーブル（図２参照）を参照し、ポータル画面に出力すべき識別子として、上述のような第２の識別子を決定する。
【０１０８】
例えば、図１２（ａ）に示すポータル画面の場合、識別子決定部４０は、第１テーブル（図２参照）を参照し、閲覧情報Ｖ、Ｗ、ＹおよびＺの中に、対応付けられている閲覧情報の少なくとも１つが含まれ、かつ、対応付けられている閲覧情報のすべては含まれていない第２の識別子、すなわち、識別子「Ｔａｓｋ＿Ａ１」を、ポータル画面に出力すべき識別子として決定する。
【０１０９】
識別子出力部５０は、識別子決定部４０が決定した第２の識別子を、画面に出力する。本実施形態においては、識別子出力部５０は、第２の識別子を、ポータル画面に出力する。なお、識別子出力部５０は、図１２（ａ）に示すポータル画面のように、第１の識別子と第２の識別子を同時にポータル画面に出力してもよいし、第１の識別子は出力せず第２の識別子のみをポータル画面に出力してもよい。なお、第１の識別子と第２の識別子を同時にポータル画面に出力する場合、識別子出力部５０は、第１の識別子と第２の識別子とをユーザが区別できるように、第１の識別子および第２の識別子を出力する。第１の識別子および第２の識別子をユーザが区別できるように出力する手段は特段制限されず、例えば、図１２（ａ）および図１２（ｂ）に示すように、第１の識別子および第２の識別子各々を出力する領域を分けてもよいし、または、第１の識別子および第２の識別子各々の表示色を変えてもよい。
【０１１０】
第２識別子特定受付部７０は、識別子出力部５０が出力する第２の識別子の中の１つを特定する入力を受付ける。第２識別子特定受付部７０が当該入力を受付ける手段は特段制限されず、あらゆる従来技術に準じて実現することができる。
【０１１１】
第２閲覧情報特定部７１は、記憶部１０を参照し、第２識別子特定受付部７０が受付けた第２の識別子に対応付けられている閲覧情報を特定する。本実施形態においては、第２閲覧情報特定部７１は、第１テーブル（図２参照）を参照し、第２識別子特定受付部７０が受付けた第２の識別子に対応付けられている閲覧情報を特定する。
【０１１２】
例えば、図１２（ｂ）に示すポータル画面のように、第２識別子特定受付部７０が識別子「Ｔａｓｋ＿Ａ１」を特定する入力（例：ポインタの表示位置を識別子の表示位置に合わせる、または、ポインタの表示位置を識別子の表示位置に合わせて左クリックなど）を受付けると、第２閲覧情報特定部７１は図２に示す第１テーブルを参照し、識別子「Ｔａｓｋ＿Ａ１」に対応付けられている閲覧情報ＸおよびＹを特定する。
【０１１３】
閲覧情報出力部２０は、第２閲覧情報特定部７１が特定した閲覧情報の中の画面に出力されていない閲覧情報を、画面に追加出力する。本実施形態においては、閲覧情報出力部２０は、第２閲覧情報特定部７１が特定した閲覧情報の中のポータル画面に出力されていない閲覧情報を、当該ポータル画面に追加出力する。
【０１１４】
例えば、図１２（ａ）に示すポータル画面の状態において、第２閲覧情報特定部７１が第２の識別子「Ｔａｓｋ＿Ａ１」を特定する入力を受付けると、図１２（ｂ）に示すポータル画面のように、閲覧情報出力部２０は、識別子「Ｔａｓｋ＿Ａ１」に対応付けられている閲覧情報ＸおよびＹの中の、ポータル画面に出力されていない閲覧情報Ｘを、当該ポータル画面に追加出力する。なお、当該閲覧情報の出力の変更に伴い、識別子出力部５０は、第２の識別子を出力する領域に位置する識別子「Ｔａｓｋ＿Ａ１」を消去し、新たに、第１の識別子が出力される領域に識別子「Ｔａｓｋ＿Ａ１」を出力してもよい。
【０１１５】
以下、本実施形態の作用効果について説明する。
本実施形態の構成によれば、ポータル画面に複数の閲覧情報が同時に出力されている状態において、ポータル画面に出力されている閲覧情報の中に、対応付けられている閲覧情報の少なくとも１つが含まれ、かつ、対応付けられている閲覧情報のすべては含まれていない第２の識別子を、ポータル画面に出力することができる。
【０１１６】
このような本実施形態の構成によれば、１つの作業を行うために閲覧すべき閲覧情報の一部のみが出力されている状態において、当該作業の内容を認識できる識別子を出力することができる。かかる場合、ユーザは、第２の識別子が出力されている事実を基に、ポータル画面に出力されている複数の閲覧情報の中に、当該作業に関連する閲覧情報の一部のみが出力されていることを認識することができる。
【０１１７】
また、本実施形態の構成によれば、第２の識別子のいずれかを特定する入力をユーザから受付けると、当該第２の識別子に対応付けられている閲覧情報のすべてをポータル画面に出力することができる。
【０１１８】
このような構成によれば、ユーザは、第２の識別子を特定する入力を行うことで、所定の作業を行うために閲覧すべき閲覧情報をすべて、ポータル画面に出力させることができる。そして、ユーザは、当該所定の作業を開始することができる。
【０１１９】
また、本実施形態の構成によれば、実施形態１乃至４と同様の作用効果を実現することもできる。
【０１２０】
＜実施形態６＞
本実施形態の表示処理装置１は、実施形態１乃至５のいずれか１つの表示処理装置１の構成に加えて、さらに、ポータル画面に出力されている閲覧情報の中の少なくとも１つの閲覧情報に含まれるデータを利用して所定の解析を行い、例えば図１５（ａ）および図１５（ｂ）に示すポータル画面のように、ポータル画面に解析結果（図１５中、「警告１」など）を出力する構成を有する。
【０１２１】
図１４は、本実施形態の表示処理装置１の構成の一例を示す機能ブロック図である。図１４に示す本実施形態の表示処理装置１は、記憶部１０と、閲覧情報出力部２０と、出力閲覧情報識別部３０と、識別子決定部４０と、識別子出力部５０と、解析部８０と、解析結果出力部８１と、解析結果特定受付部８２と、第３閲覧情報特定部８３とを有する。以下、各部の構成について詳細に説明する。なお、実施形態１、２、３、４または５と同様の構成については、ここでの説明は省略する。
【０１２２】
解析部８０は、閲覧情報出力部２０が出力する閲覧情報の中の少なくとも１つの閲覧情報に含まれるデータを利用して、所定の解析を行う。閲覧情報に含まれるデータを利用して行われる所定の解析は特段制限されないが、例えば、ＳＬＡ違反が発生していないかを監視するための解析であってもよいし、または、閲覧情報に含まれる所定のデータ（測定データ）が所定のしきい値を超えていないか監視するための解析であってもよい。当該解析を行うためのアルゴリズムは設計的事項である。なお、解析部８０は、複数の解析を並行して行ってもよい。解析部８０は、解析の結果、ユーザに警告すべき事態が生じていると判断した場合、その旨を示す情報を、以下で説明する解析結果出力部８１に通知する。なお、「ユーザに警告すべき事態が生じている」場合は設計的事項であるが、例えば、ＳＬＡ違反が発生している場合、所定の測定データが所定のしきい値を超えている場合などであってもよい。
【０１２３】
解析結果出力部８１は、画面に、解析部８０による解析結果を出力する。本実施形態では、解析結果出力部８１は、ポータル画面に、解析部８０による解析結果を出力する。
【０１２４】
例えば、解析結果出力部８１は、解析部８０から、ユーザに警告すべき事態が生じていることを示す情報を受信すると、その旨を示す情報を、解析結果としてポータル画面に出力する。例えば、解析結果出力部８１は、図１５（ａ）および図１５（ｂ）に示すポータル画面のように、解析結果の要約を示す情報として、「警告１」、「警告２」などの情報をポータル画面に出力してもよい。そして、解析結果出力部８１は、当該情報（例：「警告１」）を特定する入力（例：ポインタの表示位置を識別子の表示位置に合わせる、または、ポインタの表示位置を識別子の表示位置に合わせて左クリックなど）をユーザから受付けると、詳細な解析結果をポータル画面に出力してもよい。このような出力手段は従来技術に準じて実現することができる。
【０１２５】
記憶部１０は、解析結果出力部８１が出力する解析結果と、解析結果を得るために利用された少なくとも１つの閲覧情報とを対応付けて記憶する。このような記憶部１０の構成を実現する手段は特段制限されないが、例えば、記憶部１０は、解析結果出力部８１が出力する解析結果と、解析結果を得るために利用された少なくとも１つの閲覧情報とを対応付けたテーブル（以下、「第２テーブル」という）を保持してもよい。図１３に、第２テーブルの一例を模式的に示す。本実施形態では、記憶部１０は、図１３に示す第２テーブルを保持するものとする。
【０１２６】
例えば、記憶部１０は、あらかじめ、解析部８０による解析（例：ＳＬＡ違反が発生していないかを監視するための解析、閲覧情報に含まれる所定のデータ（測定データ）が所定のしきい値を超えていないか監視するための解析など）を識別するための識別情報（図１３中、「解析識別番号」）と、当該解析に利用される少なくとも１つの閲覧情報とを対応付けて記憶しておく。そして、解析結果出力部８１が、解析部８０からユーザに警告すべき事態が生じていることを示す情報を受信し、解析結果をポータル画面に出力する場合、当該解析結果を識別する情報（図１３中、「解析結果識別情報」）が、当該解析を識別する識別情報（図１３中、「解析識別番号」）に対応付けて記憶される。
【０１２７】
解析結果特定受付部８２は、解析結果出力部８１が出力する解析結果の中の１つを特定する入力を受付ける。解析結果特定受付部８２が当該入力を受付ける手段は特段制限されず、あらゆる従来技術に準じて実現することができる。
【０１２８】
第３閲覧情報特定部８３は、記憶部１０を参照し、解析結果特定受付部８２が受付けた解析結果に対応付けられている閲覧情報を特定する。本実施形態では、第３閲覧情報特定部８３は、第２テーブルを参照し、解析結果特定受付部８２が受付けた解析結果に対応付けられている閲覧情報を特定する。
【０１２９】
例えば、図１５（ｂ）に示すポータル画面のように、解析結果特定受付部８２が解析結果「警告１」を特定する入力（例：ポインタの表示位置を解析結果の表示位置に合わせる、または、ポインタの表示位置を解析結果の表示位置に合わせて左クリックなど）を受付けると、第３閲覧情報特定部８３は図１３に示す第２テーブルを参照し、解析結果「警告１」に対応付けられている閲覧情報ＸおよびＹを特定する。
【０１３０】
閲覧情報出力部２０は、第３閲覧情報特定部８３が特定した閲覧情報と、出力中の他の閲覧情報とをユーザが区別できるように、閲覧情報を出力する。区別可能に出力する手段は特段制限されず、例えば、図１５（ｂ）に示すポータル画面のように、第３閲覧情報特定部８３が特定した閲覧情報（図の場合、ＸおよびＹ）のみを点滅させてもよい。または、実施形態４において図９および図１０を用いて説明した手段を利用してもよい。
【０１３１】
以下、本実施形態の作用効果について説明する。
本実施形態の構成によれば、ポータル画面に複数の閲覧情報が同時に出力されている状態において、当該閲覧情報の中の少なくとも１つに含まれるデータを利用して、所定の解析を行い、解析結果を出力することができる。また、本実施形態の構成によれば、ポータル画面に出力されている解析結果の中の１つを特定する入力を受付けると、当該解析に利用された閲覧情報と、出力中の他の閲覧情報とをユーザが区別できるように出力することができる。
【０１３２】
このような本実施形態の構成によれば、ユーザは、ポータル画面に出力された解析結果を基に、ポータル画面に出力されている閲覧情報から認識できる事態の概要を把握することができる。そして、当該解析結果をさらに詳細に検討する場合には、ユーザは、ポータル画面に出力されている解析結果の中の１つ特定する入力を行い、当該解析に利用された閲覧情報を、出力中の他の閲覧情報と区別可能に出力させることで、容易に、閲覧すべき閲覧情報を把握することができる。
【０１３３】
また、本実施形態によれば、実施形態１乃至５と同様の作用効果を実現することもできる。
【０１３４】
＜実施形態７＞
本実施形態の表示処理装置１は、実施形態１乃至６のいずれか１つの表示処理装置１の構成に加えて、さらに、記憶部１０が記憶している識別子と閲覧情報とを対応付けた情報（例：図２参照）をユーザが編集できる構成を有する。
【０１３５】
図１６は、本実施形態の表示処理装置１の構成の一例を示す機能ブロック図である。図１６に示す本実施形態の表示処理装置１は、記憶部１０と、閲覧情報出力部２０と、出力閲覧情報識別部３０と、識別子決定部４０と、識別子出力部５０と、閲覧情報特定受付部９０と、識別子受付部９１と、登録部９２と、を有する。なお、本実施形態の表示処理装置１は、識別子受付部９１を有さない構成とすることもできる。以下、各部の構成について詳細に説明する。なお、実施形態１、２、３、４、５または６と同様の構成については、ここでの説明は省略する。
【０１３６】
閲覧情報特定受付部９０は、画面に出力可能な複数の閲覧情報の中の少なくとも１つを特定する入力を受付ける。本実施形態では、閲覧情報特定受付部９０は、ポータル画面に出力可能な複数の閲覧情報の中の少なくとも１つを特定する入力を受付ける。
【０１３７】
例えば、閲覧情報特定受付部９０は、図１７（ａ）に示すポータル画面のように、閲覧情報出力部２０が少なくとも１つの閲覧情報をポータル画面に出力している状態において、ポータル画面に出力されている閲覧情報の中から少なくとも１つの閲覧情報を特定する入力を受付けてもよい。閲覧情報特定受付部９０が当該入力を受付ける手段は特段制限されず、あらゆる従来技術に準じて実現することができる。
【０１３８】
登録部９２は、閲覧情報特定受付部９０が受付けた少なくとも１つの閲覧情報に識別子を対応付けて記憶部１０に記憶する指示入力を受付ける。すると、登録部９２は、閲覧情報特定受付部９０が受付けた少なくとも１つの閲覧情報に識別子を対応付けて記憶部１０に記憶する。ここで記憶する識別子は、あらかじめ定められたルールに従いコンピュータが自動的に決定したものであってもよいし、または、図１６に示す識別子受付部９１がユーザから入力を受付けた識別子であってもよい。識別子受付部９１が当該入力を受付ける手段は特段制限されず、あらゆる従来技術に準じて実現することができる。
【０１３９】
以下、本実施形態における、記憶部１０が記憶している識別子と閲覧情報とを対応付けた情報（例：図２参照）をユーザが編集する処理例を説明する。
【０１４０】
＜＜例１（図１７）＞＞
本例の場合、表示処理装置１は、図１６に示す各部に加えて、第１識別子特定受付部６０および第１閲覧情報特定部６１を有する。
【０１４１】
まず、表示処理装置１は、ユーザ入力に従い、編集モードを起動する（図１７（ａ））。当該ポータル画面において出力される閲覧情報（図１７（ａ）の場合、閲覧情報Ｖ、Ｗ、ＸおよびＹ）は、ユーザがカスタマイズできる。そして、上記実施形態と同様に、ポータル画面には、識別子出力部５０により第１の識別子が出力されている。
【０１４２】
当該ポータル画面において、第１識別子特定受付部６０が、図１７（ｂ）に示すポータル画面のように、ポータル画面に出力されている第１の識別子の中から１つを特定する入力をユーザから受付けると（図１７（ｂ）の場合、第１の識別子「Ｔａｓｋ＿Ａ１」を特定する入力を受付け）、第１閲覧情報特定部６１は第１テーブル（図２参照）を参照し、当該第１の識別子に対応付けられている閲覧情報を特定する。すると、識別子出力部５０は、第１閲覧情報特定部６１が特定した閲覧情報と、ポータル画面に出力されている他の閲覧情報とをユーザが区別できるように出力する。例えば、図１７（ｂ）に示すポータル画面のように、第１閲覧情報特定部６１が特定した閲覧情報を、他の閲覧情報より上側に出力する。
【０１４３】
ユーザは、ここまでの処理により、特定した第１の識別子に対応付けられている１つ以上の閲覧情報を認識することができる。そして、認識した内容に従い、以下のような処理を実行することができる。
【０１４４】
＜記憶部１０に記憶されている識別子の編集＞
表示処理装置１は、ユーザから第１の識別子の編集を開始する入力（例：ポインタの表示位置を第１の識別子の表示位置に合わせて右クリックなど）を受付け、その後、編集内容の入力を受付ける。例えば、表示処理装置１は、ユーザから、識別子を「Ｔａｓk＿Ａ１」から「ＳＬＡ違反の有無と程度を確認する」に変更する入力を受付ける。そして、表示処理装置１は、入力を受付けた編集内容に従い、第１テーブル（図２参照）の内容を更新する。なお、表示処理装置１が編集内容の入力を受付ける手段は特段制限されず、あらゆる従来技術に準じて実現することができる。
【０１４５】
上記説明では、図１７（ａ）および図１７（ｂ）のような編集画面に出力されている第１の識別子を直接操作し、編集する例を示したが、その他、別ウインドウを呼び出して、その上で編集するよう構成してもよい。
【０１４６】
＜記憶部１０に記憶されている識別子の削除＞
表示処理装置１は、１つ以上の第１の識別子を特定する入力（例：ポインタの表示位置を第１の識別子の表示位置に合わせ左クリックなど）を受付け、その後、特定した識別子を削除する入力（例：ポインタの表示位置を「削除」ボタンの表示位置に合わせ左クリックなど）を受付ける。そして、表示処理装置１は、特定した識別子及び当該識別子に対応付けられている閲覧情報の組み合わせを、第１テーブル（図２参照）から消去する。
【０１４７】
＜記憶部１０に新たな識別子を登録＞
表示処理装置１は、ポータル画面に出力している閲覧情報の中から１つ以上の閲覧情報を特定する入力（例：ポインタの表示位置を閲覧情報の表示位置に合わせ左クリックなど）を受付け、その後、特定した閲覧情報の組み合わせを新たに登録する入力（例：ポインタの表示位置を「新規」ボタンの表示位置に合わせ左クリックなど）を受付ける。そして、表示処理装置１は、特定した閲覧情報の組み合わせを、新たな識別子と対応付けて、第１テーブル（図２参照）に記憶する。なお、表示処理装置１は、特定した閲覧情報の組み合わせを新たに登録する入力（例：ポインタの表示位置を「新規」ボタンの表示位置に合わせ左クリックなど）を受付けると、当該組み合わせに対応付ける識別子（例：「ＳＬＡ違反の有無と程度を確認する」）の入力を受付け、当該識別子を、特定した閲覧情報の組み合わせと対応付けて、第１テーブル（図２参照）に記憶してもよい。
【０１４８】
＜＜例２（図１８）＞＞
まず、表示処理装置１は、ユーザから第１の識別子の編集を開始する入力を受付ける。例えば、表示処理装置１は、図１８（ａ）に示すポータル画面のように、ポインタの表示位置を所定の第１の識別子の表示位置に合わせた状態で右クリックによる入力を受付けると、コンテキストメニューを出力する。そして、表示処理装置１は、出力されたコンテキストメニューから所定のメニュー（例：図中「編集」）の選択入力を受付けることで、第１の識別子の編集を開始する入力を受付ける。
【０１４９】
表示処理装置１は、ユーザから第１の識別子の編集を開始する入力を受付けると、図１８（ｂ）に示すポータル画面のように、識別子編集ウインドウを新たにポータル画面に出力する。識別子編集ウインドウにおいては、編集される識別子が表示されている。また、識別子編集ウインドウにおいては、ポータル画面に出力されている閲覧情報が表示されるとともに、各閲覧情報に対応するチェックボックスが表示されている。そして、その時点において編集される識別子に対応付けられている閲覧情報に対応するチェックボックスにはチェックが入っている。
【０１５０】
ユーザは、当該識別子編集ウインドウにおいて、当該識別子の編集（例：タスク名の欄への直接入力、および、更新ボタンのクリック）、当該識別子に対応付ける閲覧情報の変更（例：チェックボックスへのチェックの変更、および、更新ボタンのクリック）、および、当該識別子の削除の入力（例：削除ボタンのクリック）を行うことができる。
【０１５１】
なお、図示していないが、表示処理装置１は、図１８（ａ）に示すポータル画面の状態において、ポインタの表示位置をいずれの第１の識別子の表示位置にも合わせていない状態で右クリックによる入力を受付けると、「新規作成」のメニューを含んだコンテキストメニューを出力してもよい。そして、表示処理装置１は、「新規作成」の選択入力を受付けると、図１８（ｂ）に示す識別子編集ウインドウとして、いずれのチェックボックスにもチェックが入っておらず、識別子としてデフォルトの識別子（例：「新規１」など）がタスク名の欄に表示されたウインドウを出力してもよい。そして、当該ウインドウから所定の入力を受付けることで、記憶部１０に新たな識別子を登録する入力を受付けてもよい。
【０１５２】
本例においても、表示処理装置１は、図１６に示す各部に加えて、第１識別子特定受付部６０および第１閲覧情報特定部６１を有し、上記例１と同様の機能を実現してもよい。
【０１５３】
以下、本実施形態の作用効果について説明する。
本実施形態の構成によれば、ユーザは、記憶部が記憶している、識別子と、ポータル画面に出力可能な複数の閲覧情報の中の少なくとも１つとを対応付けた情報を編集することができる。例えば、ユーザは、本実施形態の第１テーブル（図２参照）を編集することができる。
【０１５４】
また、本実施形態によれば、実施形態１乃至６と同様の作用効果を実現することもできる。
【０１５５】
＜実施形態８＞
本実施形態の表示処理装置１は、実施形態１乃至７のいずれか１つの表示処理装置１の構成に加えて、さらに、以下のような構成を有する。
【０１５６】
本実施形態の表示処理装置１は、図１９（ａ）に示すポータル画面のように、ポータル画面に出力している閲覧情報の内容（例：測定データ）が更新されると、更新された箇所をユーザが把握可能に出力する。更新された箇所をユーザが把握可能に出力する手段は特段制限されないが、図１９（ａ）に示すポータル画面の場合、更新箇所が四角の一重枠で囲まれ、また、四角のニ重枠で囲まれている。このように、閲覧情報の更新箇所を識別するとともに、更新箇所をユーザが把握可能に出力する手段は、従来技術に準じて実現することができる。
【０１５７】
また、本実施形態の表示処理装置１は、閲覧情報の内容が更新されると、第１テーブル（図２参照）を参照し、当該閲覧情報に対応付けられている識別子を特定する。
【０１５８】
そして、表示処理装置１は、特定した識別子と、ポータル画面に出力されている他の識別子とをユーザが区別できるように出力する。当該識別子と他の識別子とをユーザが区別できるように出力する手段は特段制限されないが、図１９（ａ）に示すポータル画面の場合、当該識別子が四角の一重枠で囲まれ、また、四角の二重枠で囲まれている。なお、図１９（ａ）に示すポータル画面の場合、識別子になされている四角の一重枠、または、四角の二重枠で囲む処理は、当該識別子に対応付けられている閲覧情報の更新箇所になされた処理と同じ処理になっている。
【０１５９】
さらに、本実施形態の表示処理装置１は、図１９（ｂ）に示すポータル画面のように、四角の枠で囲む等の処理がなされている識別子を特定する入力をユーザから受付けると（例：ポインタの表示位置を識別子の表示位置に合わせるなど）、第１テーブル（図２参照）を参照し、当該識別子に対応付けられている閲覧情報を特定する。そして、特定した閲覧情報の中の更新箇所と、他の閲覧情報の中の更新箇所とをユーザが区別できるように出力する。当該閲覧情報の中の更新箇所と他の閲覧情報の中の更新箇所とをユーザが区別できるように出力する手段は特段制限されないが、図１９（ａ）に示すポータル画面の場合、当該閲覧情報の中の更新箇所を点滅させている。
【０１６０】
そして、本実施形態の表示処理装置１は、図１９（ｃ）に示すポータル画面のように、四角の枠で囲む等の処理がなされている識別子を特定する入力を解除する入力を受付けると（例：ポインタの表示位置を識別子の表示位置からずらすなど）、第１テーブル（図２参照）を参照し、当該識別子に対応付けられている閲覧情報を特定し、当該閲覧情報の中の更新箇所をユーザが把握するための出力を中止するとともに、当該識別子をユーザが区別するための出力を中止する。
【０１６１】
このような本実施形態によれば、ユーザフレンドリーなインタフェースを実現することができる。また、本実施形態によれば、実施形態１乃至７と同様の作用効果を実現することもできる。
【０１６２】
＜実施形態９＞
本実施形態の表示処理装置１は、以下の相違点を除き、実施形態１乃至８の表示処理装置１のいずれか１つと同じ構成とすることができる。すなわち、実施形態１乃至８の表示処理装置１は、所定のアプリケーションのポータル画面において、複数の情報を同時に出力するが、本実施形態の表示処理装置１は、複数のアプリケーションを制御するＯＳにより実現されている表示画面（ＯＳ画面）において、複数のアプリケーション各々により提供される閲覧情報を同時に出力する点で相違する。
【０１６３】
複数のアプリケーションの種類は特段制限されず、文書作成のためのアプリケーション、数値計算のためのアプリケーション、画像編集のためのアプリケーション、データベースアプリケーション、Ｗｅｂブラウザ、電子メールアプリケーション、財務会計アプリケーション、人事管理アプリケーション、在庫管理アプリケーション、所定のデータを観測するためのアプリケーションなどであってもよい。なお、ここでのアプリケーションの例示はあくまで一例であり、その他のアプリケーションを含んでもよい。
【０１６４】
以下、本実施形態の表示処理装置１を構成する各部の構成について詳細に説明する。なお、実施形態１、２、３、４、５、６、７または８と同様の構成については、ここでの説明は省略する。
【０１６５】
記憶部１０は、識別子と、ＯＳ画面に閲覧情報を出力可能なアプリケーションにより出力されるデータの中の少なくとも１つのデータのファイル名およびファイル属性とを対応付けて記憶する。なお、記憶部１０は、各ファイル名に、当該ファイルの記憶場所を対応付けて記憶してもよい。「データのファイル属性」とは、いずれのアプリケーションにより処理されるデータであるかを識別する情報である。
【０１６６】
ここで、図２０に、本実施形態の記憶部が保持する第１テーブルの一例を模式的に示す。図２０に示す第１テーブルにおいては、識別子「第５１回議事録」に、閲覧情報として、文書作成のためのアプリケーションにより処理される「第５１回議事録」ファイルと、数値計算のためのアプリケーションにより処理される「第５１回議事録」ファイルとが対応付けられている。また、図２０に示す第１テーブルにおいては、識別子「議事録雛型」に、閲覧情報として、文書作成のためのアプリケーションにより処理される「議事録雛型（１）」ファイルと、文書作成のためのアプリケーションにより処理される「議事録雛型（２）」ファイルとが対応付けられている。
【０１６７】
なお、記憶部１０が記憶する上述のような情報、例えば図２０に示す第１テーブルは、ユーザが編集できる。
【０１６８】
閲覧情報出力部２０は、ＯＳ画面に複数の閲覧情報を同時に出力できるように構成され、ＯＳ画面に閲覧情報を出力する。例えば、閲覧情報出力部２０は、ＯＳ画面に、ウインドウやＨＩ部品を同時に複数出力できるように構成され、１つのウインドウまたはＨＩ部品に１つのアプリケーションが処理した１つのファイルのデータ（閲覧情報）を表示する。
【０１６９】
出力閲覧情報識別部３０は、ＯＳ画面に出力されている閲覧情報を識別する。すなわち、出力閲覧情報識別部３０は、ＯＳ画面に出力されている閲覧情報のファイル属性およびファイル名を識別する。
【０１７０】
その他の部の構成については、上記実施形態と同様である。
【０１７１】
以下、本実施形態の表示処理装置１により実現される表示処理方法の処理の流れの一例を説明する。
【０１７２】
まず、閲覧情報出力部２０は、ユーザ操作に応じて所定のアプリケーションを制御し、ＯＳ画面に所定の閲覧情報を出力する。例えば、閲覧情報出力部２０は、文書作成のためのアプリケーションを制御し、「第５１回議事録」ファイルをＯＳ画面に出力する。また、閲覧情報出力部２０は、数値計算のためのアプリケーションを制御し、「第５１回議事録」ファイルをＯＳ画面に出力する。なお、ユーザからＯＳ画面に所定の閲覧情報を出力する指示入力を受付ける手段は特段制限されず、従来技術に準じて実現することができる。
【０１７３】
次に、出力閲覧情報識別部３０は、ＯＳ画面に出力されている閲覧情報を識別する。本実施形態の場合、出力閲覧情報識別部３０は、ＯＳ画面に出力されている閲覧情報のファイル属性およびファイル名を識別する。当該処理は、従来技術に準じて実現することができる。
【０１７４】
次に、識別子決定部４０は、第１テーブル（図２０参照）を参照し、出力閲覧情報識別部３０が識別した閲覧情報の中に、対応付けられている閲覧情報のすべてが含まれている第１の識別子「第５１回議事録」を、ＯＳ画面に出力すべき識別子として決定する。
【０１７５】
次に、識別子出力部５０は、第１の識別子「第５１回議事録」を、ＯＳ画面に出力する。
【０１７６】
なお、ここでは本実施形態の表示処理装置１が、実施形態１の表示処理装置１により実現される表示処理と同様の処理を行う場合を例に説明した。しかし、本実施形態の表示処理装置１は、その他、実施形態２乃至８の表示処理装置１により実現される表示処理に準じて、これらと同様の表示処理を行うことができる。
【０１７７】
このような本実施形態によれば、実施形態１乃至８と同様の作用効果を実現することができる。
【０１７８】
この出願は、２０１０年９月９日に出願された日本特許出願特願２０１０−２０１７８１号を基礎とする優先権を主張し、その開示の全てをここに取り込む。
【図１】
2012032705.tif 000003
【図２】
2012032705.tif 000004
【図３】
2012032705.tif 000005
【図４】
2012032705.tif 000006
【図５】
2012032705.tif 000007
【図６】
2012032705.tif 000008
【図７】
2012032705.tif 000009
【図８】
2012032705.tif 000010
【図９】
2012032705.tif 000011
【図１０】
2012032705.tif 000012
【図１１】
2012032705.tif 000013
【図１２】
2012032705.tif 000014
【図１３】
2012032705.tif 000015
【図１４】
2012032705.tif 000016
【図１５】
2012032705.tif 000017
【図１６】
2012032705.tif 000018
【図１７】
2012032705.tif 000019
【図１８】
2012032705.tif 000020
【図１９】
2012032705.tif 000021
【図２０】
2012032705.tif 000022
【国際調査報告】
2012032705.tif 000023
2012032705.tif 000024
2012032705.tif 000025